(57)【要約】【課題】  中継装置において、データの送受信中に通信が切断されても、通信が再開された場合には、効率よく、迅速かつ確実にデータを受け渡す。【解決手段】  通信回線を介して接続される通信端末２と被通信端末５とを中継する中継装置１であって、被通信端末５が送信するデータを、通信回線を介して受信する代理受信手段と、代理受信手段によって受信したデータを格納するデータ記憶手段と、通信の切断及び再開を検知する通信監視手段と、通信の再開を検知すると、データ記憶手段によって格納されたデータを通信端末２に送信する代理送信手段と、からなる構成としてある。【選択図】図１
2008067192.tif 000002
【特許請求の範囲】
【請求項１】
通信回線を介して接続される通信端末と被通信端末とを中継する中継装置であって、
前記被通信端末が送信するデータを、前記通信回線を介して受信する代理受信手段と、
前記代理受信手段によって受信したデータを格納するデータ記憶手段と、
通信の切断及び再開を検知する通信監視手段と、
通信の再開を検知すると、前記データ記憶手段によって格納されたデータを前記通信端末に送信する代理送信手段と、を備えることを特徴とする中継装置。
【請求項２】
前記代理受信手段は、前記被通信端末が前記通信端末に対して送信するデータのすべてを、前記通信回線を介して受信することを特徴とする請求項１に記載の中継装置。
【請求項３】
前記被通信端末が送信するデータのすべてを前記通信端末が受信したことを検知する受信完了検知手段を備え、
前記受信完了検知手段による検知に応じ、前記データ記憶手段が格納したデータを消去することを特徴とする請求項１又は２に記載の中継装置。
【請求項４】
時間を測定する計時手段を備え、
通信の切断時から当該通信の再開までに要した時間が一定時間を超過したときに、前記データ記憶手段が格納したデータを消去することを特徴とする請求項１乃至３のいずれかに記載の中継装置。
【請求項５】
切断した通信に係る通信端末及び被通信端末を特定する端末特定手段と、
所定の場合は、前記端末特定手段により特定された通信端末と被通信端末との通信は行わせない通信制御手段と、を備えることを特徴とする請求項１乃至４のいずれかに記載の中継装置。
【請求項６】
前記通信制御手段は、通信の切断時から当該通信の再開までに要した時間が一定時間を超過していない場合は、前記端末特定手段により特定された通信端末と被通信端末との通信は行わせないことを特徴とする請求項５に記載の中継装置。
【請求項７】
通信の切断前に、前記端末特定手段によって特定された被通信端末と通信端末との間で送受信されたデータを特定するデータ特定手段を備え、
前記通信制御手段は、前記通信の再開後に受信したデータが、前記データ特定手段によって特定されたデータを含む場合は、前記通信端末と前記被通信端末との通信は行わせないことを特徴とする請求項５又は６に記載の中継装置。
【請求項８】
前記端末特定手段は、ＭＡＣアドレス及び／又はＩＰアドレスを検出することによって通信端末及び被通信端末を特定することを特徴とする請求項５乃至７のいずれかに記載の中継装置。
【請求項９】
前記通信端末と接続される通信回線は無線通信回線である請求項１乃至８のいずれかに記載の中継装置。
【請求項１０】
通信回線を介して接続される通信端末と被通信端末とこれらの端末を中継する中継装置とからなる通信制御システムであって、
前記被通信端末は、所定のデータを送信するデータ送信手段を備え、
前記通信端末は、所定のデータを受信するデータ受信手段を備え、
前記中継装置は、
前記被通信端末が送信するデータを、前記通信回線を介して受信する代理受信手段と、
前記代理受信手段によって受信したデータを格納するデータ記憶手段と、
通信の切断及び再開を検知する通信監視手段と、
通信の再開を検知すると、前記データ記憶手段によって格納されたデータを前記通信端末に送信する代理送信手段と、を備えることを特徴とする通信制御システム。
【請求項１１】
通信回線を介して接続される通信端末と被通信端末とを中継する中継装置を構成するコンピュータを、
前記被通信端末が送信するデータを、前記通信回線を介して受信する代理受信手段、前記代理受信手段によって受信したデータを格納するデータ記憶手段、通信の切断及び再開を検知する通信監視手段、通信の再開を検知すると、前記データ記憶手段によって格納されたデータを前記通信端末に送信する代理送信手段、として機能させるための通信制御プログラム。
【発明の詳細な説明】
【技術分野】
【０００１】
本発明は、中継装置に関し、より詳しくは、切断された通信が再開した場合、端末同士の通信を行わせることなくデータの受け渡しが可能な中継装置に関する。
【背景技術】
【０００２】
従来、ＩＰネットワークに属する通信端末においては、ルータ等の中継装置を介してＩＰネットワークと接続され、ホスト等の相手先端末との通信を行っている。
これら通信端末は、無線又は有線の通信回線を介して中継装置と接続されるが、中でも無線を通信手段とする無線通信端末においては、中継装置からの距離や端末の設置環境等より電波の受信強度が変化し通信状態が不安定になることがある。そして、電波の受信強度が一定以下になると、通信が切断され、データの送受信ができない状態に陥る。
【０００３】
このような場合、通信端末は相手先端末との間で再度通信回線を確立させ、あらためてデータの送受信を行う必要があった。
したがって、コネクション処理やデータの再送等に余計な手間と時間を要するため、非常に煩わしいものとなっていた。
そこで、これまで、通信断を検知すると未送信のデータをメモリに待避させておき、通信再開に応じて待避させたデータを送信する無線通信装置等が提案されている（例えば、特許文献１参照）。
【０００４】
【特許文献１】特開２００３−２４４７６５号公報（第１頁、第１図）
【発明の開示】
【発明が解決しようとする課題】
【０００５】
しかしながら、以上のような従来提案されている無線通信装置等において、バックアップされるデータは、通信切断中に当該装置等に入力されたデータであって、データ送受信中に通信断となった場合のことは想定されていない。
すなわち、データ送受信中に通信断となった場合には、対象データについて適切な分割処理や結合処理等が必要となると考えられるが、これらの処理方法については明らかにされていない。
また、仮に上述の分割・結合処理が具体化されたとしても、処理が煩雑になり、各装置での負担が増大するため、システム全体として処理能力が低下することは明らかである。
【０００６】
本発明は、以上のような従来の技術が有する問題を解決するために提案されたものであり、データの送受信中に通信が切断された場合であっても、通信が再開された後には、効率よく、迅速かつ確実にデータを受け渡すことが可能な中継装置の提供を目的とする。
【課題を解決するための手段】
【０００７】
上記目的を達成するため、本発明の中継装置は、請求項１に記載するように、通信回線を介して接続される通信端末と被通信端末とを中継する中継装置であって、前記被通信端末が送信するデータを、前記通信回線を介して受信する代理受信手段と、前記代理受信手段によって受信したデータを格納するデータ記憶手段と、通信の切断及び再開を検知する通信監視手段と、通信の再開を検知すると、前記データ記憶手段によって格納されたデータを前記通信端末に送信する代理送信手段と、を備えた構成としてある。
【０００８】
このような構成からなる本発明の中継装置によれば、通信端末間の通信を中継するだけでなく、そこで送受信されるデータを受信し、格納するようにしている。
そして、通信が切断され、その後再開されたことを検知すると、格納したデータを受信側の通信端末に送信するようにしてある。
このため、対象となるデータの送受信を確実にバックアップすることができる。
また、通信断に伴いデータの送受信が途切れた場合でも、通信の再開後は円滑に、かつ、効率よくデータが送受信される仕組みとなっている。
したがって、利便性や信頼性に極めて優れた中継装置を実現し、提供することができる。
【０００９】
また、本発明の中継装置は、請求項２に記載するように、前記代理受信手段は、前記被通信端末が前記通信端末に対して送信するデータのすべてを、前記通信回線を介して受信する構成としてある。
【００１０】
このような構成からなる本発明の中継装置によれば、被通信端末から送信され、通信端末で受信されるデータのすべてを代わりに受信し、格納するようにしている。
このため、データ送受信中に通信断が発生した場合であっても、データの分割処理や結合処理を行うことなく、もとのデータを復元することが可能である。
したがって、分割・結合処理に伴うデータ欠損がなく、確実にデータをバックアップすることができる。
また、分割・結合処理が不要なため、装置の負担を軽減し、円滑な制御を行うことが可能となる。
【００１１】
また、本発明の中継装置は、請求項３に記載するように、前記被通信端末が送信するデータのすべてを前記通信端末が受信したことを検知する受信完了検知手段を備え、前記受信完了検知手段による検知に応じ、前記データ記憶手段が格納したデータを消去する構成としてある。
【００１２】
このような構成からなる本発明の中継装置によれば、通信端末によるデータ受信の完了を検知できるようになっており、係るデータの受信完了に応じて格納したデータを消去するようにしている。
このように、不要となったデータを消去することによって、記憶領域における無駄な占有を防ぎ、限られた記憶領域を有効に使用することが可能となる。
したがって、必要な記憶容量を極力抑え、効果的にデータを格納することができるため、中継装置の小型化、省電力化、及び低価格化を図ることが可能である。
【００１３】
また、本発明の中継装置は、請求項４に記載するように、時間を測定する計時手段を備え、通信の切断時から当該通信の再開までに要した時間が一定時間を超過したときに、前記データ記憶手段が格納したデータを消去する構成としてある。
【００１４】
このような構成からなる本発明の中継装置によれば、データ記憶手段により格納されたデータの保持時間について基準となる一定の時間を定め、その一定時間を経過したときには格納データを消去することとしている。
このため、一定時間を経過するまでは本中継装置によるバックアップを保証しつつも、記憶領域において長時間にわたるデータ占有を回避することができる。
したがって、記憶領域全体を時間の経過に応じて効率よく使用することができるため、このことによっても、効果的に記憶容量を抑えることができ、小型化や省電力化を実現することが可能である。
【００１５】
また、本発明の中継装置は、請求項５に記載するように、切断した通信に係る通信端末及び被通信端末を特定する端末特定手段と、所定の場合は、前記端末特定手段により特定された通信端末と被通信端末との通信は行わせない通信制御手段と、を備えた構成としてある。
【００１６】
また、請求項６に記載するように、前記通信制御手段は、通信の切断時から当該通信の再開までに要した時間が一定時間を超過していない場合は、前記端末特定手段により特定された通信端末と被通信端末との通信は行わせない構成とすることが可能である。
【００１７】
さらに、本発明の中継装置は、請求項７に記載するように、通信の切断前に、前記端末特定手段によって特定された被通信端末と通信端末との間で送受信されたデータを特定するデータ特定手段を備え、前記通信制御手段は、前記通信の再開後に受信したデータが、前記データ特定手段によって特定されたデータを含む場合は、前記通信端末と前記被通信端末との通信は行わせない構成とすることも可能である。
【００１８】
このような構成からなる本発明の中継装置によれば、通信再開後の端末相互の通信を一定条件下では行わないよう制御することも可能である。
すなわち、中継装置の代理送受信手段によりバックアップが可能な間は、端末相互による同一データの送受信は行わせず、無用な重複処理を省くことができるようになっている。
【００１９】
具体的には、データ記憶手段によって格納されたデータの保持時間が一定時間を経過するまではこれら端末同士の通信は行わないように制御することが可能である。
また、端末相互間において回線切断前に送受信されていたデータと同一のデータを同じ端末相互間で送受信するような場合には、通信ができないように制御することも可能である。
このため、通信端末や被通信端末の負担が軽減でき、ひいては中継装置及び通信システム全体の処理能力を向上させることが可能である。
【００２０】
また、本発明の中継装置は、請求項８に記載するように、前記端末特定手段は、ＭＡＣアドレス及び／又はＩＰアドレスを検出することによって通信端末及び被通信端末を特定する構成としてある。
【００２１】
このような構成からなる本発明の中継装置によれば、通信端末に付されたＭＡＣアドレスやＩＰアドレスを検出することによって、その端末を特定することとしている。
例えば、インターネットの標準プロトコルであるＴＣＰ／ＩＰ(Transmission Control Protocol/Internet Protocol）の場合、ネットワーク上を流れるデータを構成するＭＡＣフレーム中には送信元及び宛先のＭＡＣアドレスとＩＰアドレスが記載されたヘッダ（ＭＡＣヘッダ及びＩＰヘッダ）が付されており、これらのヘッダに記載されたアドレス情報を抽出することによって容易に端末を識別することが可能である。
このため、本発明の中継装置の特徴である通信制御手段を容易に実現することが可能となる。
【００２２】
また、本発明の中継装置は、請求項９に記載するように、前記通信端末と接続される通信回線は無線通信回線とすることも可能である。
【００２３】
このように、本発明の中継装置によれば、通信端末が無線通信端末であっても対応しうる構成となっている。
このため、通信断が発生しやすい無線通信回線においても効果的にバックアップすることが可能である。
【００２４】
また、本発明の通信制御システムは、請求項１０に記載するように、通信回線を介して接続される通信端末と被通信端末とこれらの端末を中継する中継装置とからなる通信制御システムであって、前記被通信端末は、所定のデータを送信するデータ送信手段を備え、前記通信端末は、所定のデータを受信するデータ受信手段を備え、前記中継装置は、前記被通信端末が送信するデータを、前記通信回線を介して受信する代理受信手段と、前記代理受信手段によって受信したデータを格納するデータ記憶手段と、通信の切断及び再開を検知する通信監視手段と、通信の再開を検知すると、前記データ記憶手段によって格納されたデータを前記通信端末に送信する代理送信手段と、を備える構成としてある。
【００２５】
このように、本発明はシステム発明としても実現化することができるとともに、上述した装置発明と同様の効果を奏することができる。
【００２６】
また、本発明の通信制御プログラムは、請求項１１に記載するように、通信回線を介して接続される通信端末と被通信端末とを中継する中継装置を構成するコンピュータを、前記被通信端末が送信するデータを、前記通信回線を介して受信する代理受信手段、前記代理受信手段によって受信したデータを格納するデータ記憶手段、通信の切断及び再開を検知する通信監視手段、通信の再開を検知すると、前記データ記憶手段によって格納されたデータを前記通信端末に送信する代理送信手段、として機能させるためのプログラムとしてある。
【００２７】
このように本発明はプログラムとしても実現化することができる。
これにより、ルータ等の中継装置のみならず、伝送装置や交換装置等にプログラムをインストールすることによって本発明を実現することができ、汎用性，拡張性に優れた通信制御プログラムとして提供することができる。
【発明の効果】
【００２８】
以上のように、本発明の中継装置によれば、データの送受信中に通信が切断された場合であっても、通信が再開された後には、効率よく、確実かつ迅速に、データを受け渡すことができるため、利便性や信頼性が高い通信システムを構築することが可能である。
また、所定条件下ではバックアップを確実に保証しつつも、装置の小型化、省電力化、低コスト化を図ることができるため、コストパフォーマンスに優れた中継装置を提供することが可能となる。
【発明を実施するための最良の形態】
【００２９】
以下、本発明の好ましい実施形態について図１〜図８を参照して説明する。
ここで、以下に示す本実施形態の無線ＬＡＮブロードバンドルータは、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態の無線ＬＡＮブロードバンドルータにおける各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００３０】
［第一実施形態］
図１は、本発明の第一実施形態に係る無線ＬＡＮブロードバンドルータのブロック図及び本ルータを中心として構成される通信システムのネットワーク図である。
図１に示すとおり、本実施形態の無線ＬＡＮブロードバンドルータ（以下、ルータという。）１は、無線端末２及び有線端末３と接続されており、一方ではＩＰ網４を介して被通信端末と接続されている。なお、本実施形態における被通信端末は、無線端末２又は有線端末３の通信先５として想定されている。
また、同図に示すように、ルータ１は、中央制御部１００、無線端末インタフェース部１０１、有線端末インタフェース部１０２、ＩＰ網インタフェース部１０３、無線端末通信監視部１０４、及び無線通信データ記憶部１０５から構成されている。
【００３１】
中央制御部１００は、ルータ１全体を制御するものであり、特に、本実施形態においては、無線端末２の通信が切断された場合、無線端末通信監視部１０４からの通知にもとづき、無線端末２又はその通信先の代わりに通信を行わせるところに特徴がある（代理受信手段、代理送信手段）。
無線端末インタフェース部１０１は、無線端末２を収容するためのインタフェースであり、有線端末インタフェース部１０２は、有線端末３を収容するためのインタフェースである。
ＩＰ網インタフェース部１０３は、インターネットに代表されるＩＰ(Internet Protocol)ネットワークを収容するためのインタフェースである。
無線端末通信監視部１０４は、無線端末２との間の無線通信を監視するものであり、当該通信が切断又は復旧したときには、その旨を中央制御部１００へ通知するものである（通信監視手段）。
無線通信データ記憶部１０５は、無線端末２の通信先データ及び通信開始から完了までの通信データを格納するものである（データ記憶手段）。なお、通信先データとしては、通信先端末のＩＰアドレスやＭＡＣアドレス等、通信先が特定できるデータであればよい。
【００３２】
次に、以上のような構成からなる第一実施形態のルータにおける動作について図３及び図４を参照しつつ説明する。
まず、通信中のデータを無線通信データ記憶部１０５に格納するまでの手順を図３のフローチャートを用いて説明する。
【００３３】
前提として、無線端末インタフェース部１０１に収容されている無線端末２は、通信先５との間で通信を行っていることとする。
ここで、中央制御部１００は、無線端末インタフェース部１０１を通して無線端末２が通信先５と通信を開始したことを認識し、無線通信データ記憶部１０５に通信先データとして通信先５を格納する（Ａ１）。
無線端末２と通信先５との通信が開始されると、中央制御部１００は、通信先５から送信される通信データ５Ａを無線通信データ記憶部１０５に格納し始める（Ａ２）。なお、無線通信データ記憶部１０５に記憶されている内容は所定の記憶テーブルによって管理されており、この時点においては、図２に示すとおり、通信先５と通信データ５Ａが対応づけて格納されている。
【００３４】
ここで、ルータ１は、無線端末通信監視部１０４が、通信先５と無線端末２との通信が正常に完了するかどうかを監視する（Ａ３）。
具体的には、通信先５から送信されたデータのすべてを無線端末２が受信し終わったか否かを受信完了検知手段によって確認し、例えば、無線端末２が受信完了の通知を行うことによって無線端末通信監視部１０４は容易にこれを確認することができる。
ステップＡ３の結果、通信が正常に完了したことを確認する（Ａ３：ＹＥＳ）と、無線端末通信監視部１０４はその旨を示す通知信号を送信し、中央制御部１００はこの通知信号を受信すると、無線通信データ記憶部１０５に格納していた通信先データ（通信先５）と通信データ（通信データ５Ａ）を消去させる（Ａ４）。
【００３５】
一方、通信先５と通信端末２との通信が途中で切断された場合（Ａ３：ＮＯ）、通信断を検知した無線端末通信監視部１０４はその旨を示す通知信号を送信し、中央制御部１００はこの通知信号を受信すると、無線端末２に代わり通信先５との通信を開始させる（Ａ５）。なお、通信断検知の具体的方法としては、例えば、ｐｉｎｇ(Packet Internet Groper)を用いて容易に検知することが可能である。
そして、通信先５との通信が正常に完了するまで通信データ５Ａを無線端末データ記憶部１０４に格納する（Ａ６）。
【００３６】
次に、通信を再開する場合において、無線端末データ記憶部１０５に格納した通信データ５Ａを無線端末２に送信するまでの手順を図４のフローチャートを用いて説明する。
まず、切断されていた通信が復旧し再開されたこととする。
ここで、ルータ１は、中央制御部１００が、再開された通信の相手先が、先に切断された通信の通信先５と同一かどうかを端末特定手段によって確認する（Ｂ１）。
通信先を特定する具体的な方法としては、通信データからＭＡＣアドレスやＩＰアドレスを抽出することによって、これを容易に確認することができる。
なお、通信先の異同による判定の他、通信切断前に送受信されていたデータと通信再開後に送受信されるデータを特定し（データ特定手段）、これらデータの異同を判定することによってもステップＢ１と同様の判定が可能である。
【００３７】
ステップＢ１の結果、無線端末２と通信を行う相手が、切断前に通信を行っていた通信先５と同一でない場合（Ｂ１：ＮＯ）、中央制御部１００は、無線通信データ記憶部１０５に格納された通信先５と通信データ５Ａを消去する（Ｂ２）。
そして、新たな通信先と通信データとを無線通信データ記憶部１０５に格納する（Ｂ３）。
【００３８】
一方、ステップＢ１の結果、無線端末２と通信を行う相手が、切断前に通信を行っていた通信先５と同一である場合（Ｂ１：ＹＥＳ）、中央制御部１００は、通信先５に対しての通信を行わないよう通信制御手段によって制御を行う（Ｂ４）。
そして、中央制御部１００は、無線通信データ記憶部１０５に格納してある通信データ５Ａを、無線端末インタフェース部１０１を介して無線端末２に送信する（Ｂ５）。
【００３９】
以上説明したように、本実施形態のルータ１によれば、無線端末２に係る通信が切断している間は、無線端末２の代わりに通信先５と通信を行い、通信開始から完了するまでのすべての通信データを無線通信データ記憶部１０５に格納し、切断された通信が再開されたときは、ルータ１から無線端末２に対してデータを送信するようにしている。
このため、再度通信先５との通信を確立することなく、再通信に係る時間を短縮することが可能である。
また、無線通信データ記憶部１０５に対象となるデータを格納し、必要に応じて送信し、また、消去するようにしているため、確実にデータ送受信が実行され、また、効率よく通信制御を行うことができる。
【００４０】
［第二実施形態］
次に、本発明の第二実施形態に係るルータについて図５〜図８を参照しながら説明を行う。
図５は、本発明の第二実施形態に係るルータのブロック図及び本ルータを中心として構成される通信システムのネットワーク図である。
本実施形態は、上述した第一実施形態の変更実施形態であり、第一実施形態の構成に加えて、タイマ部（計時手段）１０６を備え、時間経過に応じて制御を行うところに特徴がある。
具体的には、通信断の発生から通信再開までに要した時間が一定時間を超過したときは、格納しているバックアップデータを消去することとしている。
これによって、記憶領域を有効に利用でき、必要な記憶容量を抑える効果が得られる。
なお、他の構成部分については前述の第一実施形態と同様であるため詳細な説明は割愛する。
【００４１】
次に、以上のような構成からなる第二実施形態のルータにおける動作について図７及び図８を参照しつつ説明する。
まず、通信中のデータを無線通信データ記憶部１０５に格納するまでの手順を図７のフローチャートを用いて説明する。
【００４２】
前提として、無線端末インタフェース部１０１に収容されている無線端末２は、通信先６との間で通信を行っていることとする。
ここで、中央制御部１００は、無線端末インタフェース部１０１を通して無線端末２が通信先６と通信を開始したことを認識し、無線通信データ記憶部１０５に通信先データとして通信先６を格納する（Ｃ１）。
無線端末２と通信先６との通信が開始されると、中央制御部１００は、通信先６から送信される通信データ６Ａを無線通信データ記憶部１０５に格納し始める（Ｃ２）。なお、無線通信データ記憶部１０５に記憶されている内容は所定の記憶テーブルによって管理されており、この時点においては、図６に示すとおり、通信先６と通信データ６Ａが対応づけて格納されている。
【００４３】
ここで、ルータ１は、無線端末通信監視部１０４が、通信先６と無線端末２との通信が正常に完了するかどうかを監視する（Ｃ３）。
ステップＣ３の結果、通信が正常に完了したことを確認する（Ｃ３：ＹＥＳ）と、無線端末通信監視部１０４はその旨を示す通知信号を送信し、中央制御部１００はこの通知信号を受信すると、無線通信データ記憶部１０５に格納していた通信先データ（通信先６）と通信データ（通信データ６Ａ）を消去させる（Ｃ４）。
【００４４】
一方、通信先６と通信端末２との通信が途中で切断された場合（Ｃ３：ＮＯ）、通信断を検知した無線端末通信監視部１０４はその旨を示す通知信号を送信し、中央制御部１００はこの通知信号を受信すると、無線端末２に代わり通信先６との通信を開始させる（Ｃ５）。
そして、通信先６との通信が正常に完了するまで通信データ６Ａを無線端末データ記憶部１０４に格納する（Ｃ６）。
【００４５】
次に、通信を再開する場合において、無線端末データ記憶部１０５に格納した通信データ６Ａを無線端末２に送信するまでの手順を図８のフローチャートを用いて説明する。
まず、切断された通信が復旧し、再開されたこととする。
ここで、ルータ１は、その中央制御部１００がタイマ部１０６に問い合わせ、通信断の発生から通信再開までに要した時間が予め設定した一定時間を超過したか否かを判断する（Ｄ１）。
ステップＤ１の結果、通信再開までに要した時間が一定時間を超過している場合（Ｄ１：ＹＥＳ）、中央制御部１００は、無線通信データ記憶部１０５に格納されている通信先データと通信データを消去する（Ｄ２）。
一方、ステップＤ１の結果、通信再開までに要した時間が一定時間を超過していない場合（Ｄ１：ＮＯ）、中央制御部１００は、再開された通信の相手先が、切断前に通信を行っていた通信先６と同一かどうかを確認する（Ｄ３）。
【００４６】
ステップＤ３の結果、無線端末２と通信を行う相手が、切断前に通信を行っていた通信先６と同一でない場合（Ｄ３：ＮＯ）、中央制御部１００は、無線通信データ記憶部１０５に格納された通信先データ（通信先６）と通信データ（通信データ６Ａ）を消去させる（Ｄ４）。
そして、新たな通信先データと通信データとを無線通信データ記憶部１０５に格納する（Ｄ５）。
【００４７】
一方、ステップＤ３の結果、無線端末２と通信を行う相手が、切断前に通信を行っていた通信先６と同一である場合（Ｄ３：ＹＥＳ）、中央制御部１００は、通信先６に対しての通信を行わないよう通信制御手段によって制御を行う（Ｄ６）。
そして、中央制御部１００は、無線通信データ記憶部１０５に格納してある通信データ６Ａを、無線端末インタフェース部１０１を介して無線端末２に送信する（Ｄ７）。
【００４８】
以上説明したように、本実施形態のルータ１によれば、第一実施形態と同様の効果が発揮されるとともに、タイマ部１０６を更に備え、時間経過に応じて格納したデータを消去する構成としているので、記憶容量を抑え、小型化、省電力化、低コスト化を図ることができるようになる。
【００４９】
以上、本発明の中継装置について、好ましい実施形態を示して説明したが、本発明にかかる中継装置は、上述した実施形態にのみ限定されるものではなく、本発明の範囲で種々の変更実施が可能であることは言うまでもない。
例えば、本発明の中継装置は、ルータ以外のスイッチ、伝送装置等であってもよい。
また、無線端末２の通信が切断された場合のみならず、有線端末３に係る通信が切断された場合も適用することが可能である。
【産業上の利用可能性】
【００５０】
本発明は、無線ＬＡＮブロードバンドルータ等の中継装置に好適に利用することができる。
【図面の簡単な説明】
【００５１】
【図１】本発明の第一実施形態に係る無線ＬＡＮブロードバンドルータのブロック図及び本ルータを中心として構成される通信システムのネットワーク図である。
【図２】本発明の第一実施形態に係るルータの無線通信データ記憶部に格納されるデータを示したテーブル図である。
【図３】本発明の第一実施形態に係るルータによって通信中のデータを格納するまでの手順を示したフローチャートである。
【図４】本発明の第一実施形態に係るルータにおいて、通信を再開する場合に、格納した通信データを無線端末に送信するまでの手順を示したフローチャートである。
【図５】本発明の第二実施形態に係るルータのブロック図及び本ルータを中心として構成される通信システムのネットワーク図である。
【図６】本発明の第二実施形態に係るルータの無線通信データ記憶部に格納されるデータを示したテーブル図である。
【図７】本発明の第二実施形態に係るルータによって通信中のデータを格納するまでの手順を示したフローチャートである。
【図８】本発明の第二実施形態に係るルータにおいて、通信を再開する場合に、格納した通信データを無線端末に送信するまでの手順を示したフローチャートである。
【符号の説明】
【００５２】
１  無線ＬＡＮブロードバンドルータ（中継装置）
１００  中央制御部
１０４  無線端末通信監視部
１０５  無線通信データ記憶部
１０６  タイマ部
２  無線端末
４  ＩＰ網
【図１】
2008067192.tif 000003
【図２】
2008067192.tif 000004
【図３】
2008067192.tif 000005
【図４】
2008067192.tif 000006
【図５】
2008067192.tif 000007
【図６】
2008067192.tif 000008
【図７】
2008067192.tif 000009
【図８】
2008067192.tif 000010